(57)【要約】【課題】  特別の部材を用いることなく、簡単な構成で、煮たき時のふきこぼれ及び鍋蓋のびびり音を防止することができるとともに、通常の時間で鍋内の具材を十分に煮たきすることができるふきこぼれ及び鍋蓋びびり音防止部材の提供。【解決手段】  鍋内の調理物の煮炊き時に発生するふきこぼれと、該煮炊き時の内部圧により鍋本体の上部の鍋縁と鍋蓋の間で発生する蓋びびり音の発生を防止するためのふきこぼれ及び蓋びびり音防止部材であって、前記鍋縁と前記鍋蓋が接する部位に、予め水分を含んだ状態の吸水性と耐熱性を備えた部材を配置する。【選択図】  図１
0003132517.tif 000002
【実用新案登録請求の範囲】
【請求項１】
鍋内の調理物の煮炊き時に発生するふきこぼれと、該煮炊き時の内部圧により鍋本体の上部の鍋縁と鍋蓋の間で発生する蓋びびり音の発生を防止するためのふきこぼれ及び蓋びびり音防止部材であって、
前記鍋縁と前記鍋蓋が接する部位に、予め水分を含んだ状態の吸水性と耐熱性を備えた部材を配置してなることを特徴とするふきこぼれ及び蓋びびり音防止部材。
【請求項２】
前記部材は、前記鍋縁の外周の大きさに応じてリング状に形成されていることを特徴とする請求項１に記載のふきこぼれ及び蓋びびり音防止部材。
【請求項３】
前記部材は、ウエット紙を紐状にしたものであることを特徴とする請求項１に記載のふきこぼれ及び蓋びびり音防止部材。
【請求項４】
前記部材は、断面が円形又は多角形であることを特徴とする請求項１から３のいずれかに記載のふきこぼれ及び蓋びびり音防止部材。
【考案の詳細な説明】
【技術分野】
【０００１】
本考案は、ふきこぼれ及び鍋蓋びびり音防止部材に関し、特に、簡単な構成で、煮たき時のふきこぼれ及び鍋蓋のびびり音を防止することができるとともに、通常の時間で鍋内の具材を十分に煮たきすることができるふきこぼれ及び鍋蓋びびり音防止部材に関する。
【背景技術】
【０００２】
従来、鍋を用いて煮たき等の調理をする際に、鍋の中の液状調理物が沸騰を始めると、内部圧により鍋蓋が押し上げられ、吹き上がった水蒸気が鍋の縁の周囲にふきこぼれ、その結果、ふきこぼれ痕が鍋本体や周囲のコンロ等にも残り、美観を損ねると共に非衛生的であった。また、吹き上がった水蒸気が鍋の縁の周囲に当たって外部にふきこぼれる際に、鍋蓋周縁が上下することにより「カタカタ」という蓋びびり音が生じ、耳障りな音に悩まされると言う問題があった。
【０００３】
このため、例えば、特許文献１に示すように、鍋蓋と鍋本体とを離間し略コ字形状ブロック体に形成し鍋蓋周縁部を挟持するスリット状の挟持部とその後方に鍋蓋周縁部の折り曲げ部分を抱持するため略円筒状などの空隙を設け鍋蓋周縁部に１箇所乃至数ヶ所嵌合し、鍋蓋と鍋本体とを離間し間隙をつくることにより調理用鍋のふきこぼれを防止するふきこぼれ防止器具が提案されている。この発明によると、略コ字形状ブロック体によって鍋蓋と鍋本体とを離間し間隙が形成されるので、ふきこぼれと同時に蓋びびり音の発生を防止することができる。
【特許文献１】特開２００５−０３４６７４
【考案の開示】
【考案が解決しようとする課題】
【０００４】
しかしながら、上述した従来のふきこぼれ防止器具によると、略コ字形状ブロック体で間隙を形成することにより鍋蓋と鍋本体が接触していないため、確かにふきこぼれと蓋びびり音の発生は防止できるが、略コ字形状ブロック体によって鍋蓋と鍋本体とを離間することにより間隙ができてしまうので、鍋の中の圧力または熱が大気中に逃げて、鍋内の具材が十分煮たきされるまでに時間を要すると言う問題があった。
【０００５】
したがって、本考案の目的は、特別の部材を用いることなく、簡単な構成で、煮たき時のふきこぼれ及び鍋蓋のびびり音を防止することができるとともに、通常の時間で鍋内の具材を十分に煮たきすることができるふきこぼれ及び鍋蓋びびり音防止部材を提供することにある。
【課題を解決するための手段】
【０００６】
本考案は、上記目的を達成するために、鍋内の調理物の煮炊き時に発生するふきこぼれと、該煮炊き時の内部圧により鍋本体の上部の鍋縁と鍋蓋の間で発生する蓋びびり音の発生を防止するためのふきこぼれ及び蓋びびり音防止部材であって、前記鍋縁と前記鍋蓋が接する部位に、予め水分を含んだ状態の吸水性と耐熱性を備えた部材を配置してなることを特徴とするふきこぼれ及び蓋びびり音防止部材を提供するものである。
【０００７】
以上の構成において、前記部材は、前記鍋縁の外周の大きさに応じてリング状に形成されていることが望ましく、また、ウエット紙を紐状にしたものであることが望ましい。
【０００８】
この場合、前記部材は、断面が円形又は多角形であることが望ましい。
【考案の効果】
【０００９】
吸水性および耐熱性のある部材を鍋と鍋蓋の間に配置することにより、調理中、鍋内の調理物が沸騰を始めても、発生する水蒸気は随時、この設置した部材に吸収される。これにより、内部圧は一定に保たれ、内部圧が蓋を押し上げることおよび、これによるふきこぼれと蓋のびびり音の発生を同時に防止することができる。      
【考案を実施するための最良の形態】
【００１０】
以下、図面を参照しながら、本考案の実施の形態に係るふきこぼれ及び鍋蓋びびり音防止部材を詳細に説明する。
図１は、本考案の実施の形態に係るふきこぼれ及び鍋蓋びびり音防止部材の形状を示す平面図である。
図に示すように、このふきこぼれ及び鍋蓋びびり音防止部材１はリング状に一体で形成されるものであり、予め水分を含んだ状態の吸水性と耐熱性を備えた柔軟性のある紙、もしくは、それに準ずる布等の素材からなっている。そして、その直径は、後述するように鍋７の鍋縁８程度の長さ程度となっている。
【００１１】
図２は、図１に示したふきこぼれ及び鍋蓋びびり音防止部材１のＡ−Ａ線断面図である。
図に示すように、このふきこぼれ及び鍋蓋びびり音防止部材１は、断面形状が円形をしているが、これに限られるものではなく、例えば、断面多角形のものであってもよい。断面多角形にした場合、いわゆる、部材１のすわり（安定度）が良くなるからである。
【００１２】
図３は、このふきこぼれ及び鍋蓋びびり音防止部材１を鍋７の鍋縁８に配置した状態を示す図であり、図３（ａ）はこれを断面状態で説明する図、図３（ｂ）は、これを平面状態で説明する図である。
図３（ａ）および（ｂ）に示すように、このふきこぼれ及び鍋蓋びびり音防止部材１は、鍋７の鍋縁８に配置される。そして、鍋縁８に配置されたふきこぼれ及び鍋蓋びびり音防止部材１上には、鍋蓋６が被され、これによりふきこぼれ及び鍋蓋びびり音防止部材１は上部から押圧されるようになっている。なお、鍋縁８の直径は、鍋７の大きさによって異なってくるので、このふきこぼれ及び鍋蓋びびり音防止部材１の円周方向の長さは、鍋縁８の直径に応じて数種類形成されることになる。そして、適宜、鍋７の直径に合わせて使用する。
【００１３】
以上の構成を有する本考案のふきこぼれ及び鍋蓋びびり音防止部材１を用いた使用例について、図４を参照しながら説明する。
図に示すように、鍋７を用いて、ガスコンロ１１で煮たき等の調理を開始すると、鍋８の中の液状調理物が沸騰を始める。そうすると、内部圧により鍋蓋６が押し上げられ、吹き上がった水蒸気は、鍋７の鍋縁８から大気中に逃げようとする。
【００１４】
このとき、鍋縁８にふきこぼれ及び鍋蓋びびり音防止部材１が配置されており、かつ、このふきこぼれ及び鍋蓋びびり音防止部材１が鍋蓋６によって押圧されているので、大気中に逃げようとする水蒸気は、この吸水性を有するふきこぼれ及び鍋蓋びびり音防止部材１にその大半が吸収されるとともに、残余の一部の水蒸気が大気中に放出される。
【００１５】
このように、鍋縁８にふきこぼれ及び鍋蓋びびり音防止部材１を配置するようにしたので、鍋の中の圧力または熱が大気中に全て逃げることなくなり、内部圧が一定に保たれるため、通常の時間で鍋内の具材を十分に煮たきすることが可能となる。同時に、鍋縁８にふきこぼれ及び鍋蓋びびり音防止部材１が配置されているので、内部圧により鍋蓋が押し上げられることによる鍋８と鍋蓋６間で生じる鍋蓋のびびり音の発生を効果的に防止することができる。
【００１６】
なお、以上の実施の形態においては、ふきこぼれ及び鍋蓋びびり音防止部材１は、リング状に一体で形成されるものとして説明したが、一体に形成されたものに限るものではなく、例えば、図５に示すように、吸水性と耐熱性を備えた長尺の紙等を紐状にしてプラスチック容器等の水分を含む素材を保管するのに適した収納容器に収納しておき、市販されている保湿ティッシュの要領で鍋縁８の長さに切り取って、鍋縁８に沿ってリング状に配置するようにしても良い。このようにすれば、鍋７の大きさに合わせて適宜リング状に形成できるので、いくつものリング状の部材を準備する必要はなくなり、低コストにもつながる。
【図面の簡単な説明】
【００１７】
【図１】本考案の実施の形態に係るふきこぼれ及び鍋蓋びびり音防止部材の形状を示す平面図である。
【図２】図１に示したふきこぼれ及び鍋蓋びびり音防止部材のＡ−Ａ線断面図である。
【図３】ふきこぼれ及び鍋蓋びびり音防止部材を鍋の鍋縁に配置した状態を示す図であり、（ａ）はこれを断面状態で説明する図、（ｂ）は、これを平面状態で説明する図である。
【図４】本考案のふきこぼれ及び鍋蓋びびり音防止部材を用いた使用例を示す図である。
【図５】吸水性と耐熱性を備えた長尺の紙等を紐状にしてプラスチック容器等の水分を含む素材を保管するのに適した収納容器に収納した状態を示す図である。
【符号の説明】
【００１８】
１  ふきこぼれ及び鍋蓋びびり音防止部材
２  容器本体
３  容器頭部
４  穴
５  容器蓋
６  鍋蓋
７  鍋
８  鍋縁
９  調理物
１０  矢印
１１  ガスコンロ
【図１】
0003132517.tif 000003
【図２】
0003132517.tif 000004
【図３】
0003132517.tif 000005
【図４】
0003132517.tif 000006
【図５】
0003132517.tif 000007
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
鍋内の調理物の煮炊き時に発生するふきこぼれと、該煮炊き時の内部圧により鍋本体の上部の鍋縁と鍋蓋の間で発生する蓋びびり音の発生を防止するためのふきこぼれ及び蓋びびり音防止部材であって、
前記鍋縁と前記鍋蓋が接する部位に、予め水分を含んだ状態の吸水性と耐熱性を備えた断面が円形又は多角形であって前記鍋縁の外周の大きさに応じてリング状に形成される部材を配置してなることを特徴とするふきこぼれ及び蓋びびり音防止部材。
【請求項２】
前記部材は、ウエット紙を紐状にしたものであることを特徴とする請求項１に記載のふきこぼれ及び蓋びびり音防止部材。